(57)【要約】【課題】単一の充電装置に組み付けられることでその形状に応じた携帯機器を充電可能な充電装置を構成し得る充電装置用アタッチメントおよび充電装置を提供する。【解決手段】アタッチメント３０は、収容部３２を構成する本体ホルダ３１と、当該本体ホルダ３１に対して摺動可能に支持される２つの中継端子ブロック４０ａ，４０ｂとを備えている。そして、両中継端子ブロック４０ａ，４０ｂは、当該アタッチメント３０がアタッチメント取付部２２に取り付けられるとき、摺動方向一端に露出する中継端子４１の上端部４１ａにて充電装置２０の給電端子２３，２４にそれぞれ接触し、さらに、当該アタッチメント３０が取り付けられた充電装置２０の収容部３２に携帯機器１０が収容されるとき、摺動方向他端に露出する中継端子４１の下端部４１ｂにて携帯機器１０の受電端子１２，１３にそれぞれ押圧されて接触する。【選択図】図１
2010226823.tif 000002
【特許請求の範囲】
【請求項１】
携帯機器を充電可能な充電装置に取り付けられる充電装置用アタッチメントであって、
前記充電装置のアタッチメント取付部に取り付けることで前記携帯機器を前記充電装置に収容するための携帯機器収容部を構成する本体ホルダと、
前記本体ホルダに対して摺動可能に支持されてこの摺動方向両端にて中継端子の一部がそれぞれ露出する複数の中継端子ブロックと、を備え、
前記各中継端子ブロックは、前記本体ホルダに対して摺動することで、
当該充電装置用アタッチメントが前記アタッチメント取付部に取り付けられるとき、摺動方向一端に露出する前記中継端子にて前記充電装置の各充電装置側端子にそれぞれ接触し、
さらに、当該充電装置用アタッチメントが取り付けられた前記充電装置の前記携帯機器収容部に前記携帯機器が収容されるとき、摺動方向他端に露出する前記中継端子にて前記携帯機器の各携帯機器側端子にそれぞれ押圧されて接触することを特徴とする充電装置用アタッチメント。
【請求項２】
前記各中継端子ブロックは、前記本体ホルダに対してそれぞれ独立して摺動可能に支持されることを特徴とする請求項１に記載の充電装置用アタッチメント。
【請求項３】
前記各中継端子ブロックには、前記摺動方向に延在するブロック側係合部がそれぞれ形成され、
前記本体ホルダには、前記摺動方向に延在して前記各ブロック側係合部に対して摺動可能に係合するホルダ側係合部がそれぞれ形成されることを特徴とする請求項１または２に記載の充電装置用アタッチメント。
【請求項４】
前記中継端子ブロックは、前記携帯機器を前記携帯機器収容部に収容する収容方向に沿うように前記本体ホルダに対して摺動可能に支持されることを特徴とする請求項１〜３のいずれか一項に記載の充電装置用アタッチメント。
【請求項５】
前記本体ホルダは、前記携帯機器収容部に収容された前記携帯機器に面接触する側面が鉛直方向に対して上向きに傾斜するように形成されることを特徴とする請求項１〜４のいずれか一項に記載の充電装置用アタッチメント。
【請求項６】
請求項１〜５のいずれか一項に記載の充電装置用アタッチメントを備え、この充電装置用アタッチメントが前記アタッチメント取付部に収容されて構成される前記携帯機器収容部に収容される携帯機器に対して充電可能であることを特徴とする充電装置。
【発明の詳細な説明】
【技術分野】
【０００１】
本発明は、充電装置用アタッチメントおよび充電装置に関するものである。
【背景技術】
【０００２】
従来、充電装置に関する技術として、下記特許文献１に示す充電装置が知られている。この充電装置は、携帯電話機への充電時に、当該充電装置に対して充電装置用アタッチメントが固定されることで充電装置の給電端子と充電装置用アタッチメントの下側中継端子とが接続される。そして、携帯電話機の通信コネクタに通信アダプタを接続し、充電装置用アタッチメントのアタッチメント側凹部に携帯電話機を挿入して嵌合させることで、携帯電話機の受電端子と充電装置用アタッチメントの上側中継端子とが接続される。これにより、充電装置用アタッチメントを固定した充電装置により携帯電話機を充電しつつデータ通信を可能としている。
【０００３】
また、下記特許文献２に示す充電装置では、電池載置部に二次電池を載置した充電用アタッチメントの被載置部を、充電器の装着部に装着することにより、二次電池の充電が行われる。このとき、充電器は、温度検出用端子に与えられる二次電池の温度信号と認識用端子に与えられる種類識別信号とに基づいて、二次電池の充電を適宜に制御する。
【先行技術文献】
【特許文献】
【０００４】
【特許文献１】特開平１１−３５５４０７号公報
【特許文献２】特開平０６−１１３４７１号公報
【発明の概要】
【発明が解決しようとする課題】
【０００５】
ところで、充電装置用アタッチメントが取り付けられた充電装置により、充電装置用アタッチメントを介して携帯機器を充電する場合、取り付け不良等が生じると、アタッチメントの中継端子と対応する充電装置側端子または携帯機器側端子との接続が不完全になるという問題がある。一方、このような不完全な接続をなくすために充電装置用アタッチメントと充電装置および携帯機器とを締結部材等により強固に連結すると、充電する毎に強固な連結およびその解除を実施する必要があり充電時の作業性が悪くなってしまう。
【０００６】
本発明は、上述した課題を解決するためになされたものであり、その目的とするところは、単一の充電装置に組み付けられることでその形状に応じた携帯機器を充電可能な充電装置を構成し得る充電装置用アタッチメントおよび充電装置を提供することにある。
【課題を解決するための手段】
【０００７】
上記目的を達成するため、特許請求の範囲に記載の請求項１の充電装置用アタッチメントでは、携帯機器を充電可能な充電装置に取り付けられる充電装置用アタッチメントであって、前記充電装置のアタッチメント取付部に取り付けることで前記携帯機器を前記充電装置に収容するための携帯機器収容部を構成する本体ホルダと、前記本体ホルダに対して摺動可能に支持されてこの摺動方向両端にて中継端子の一部がそれぞれ露出する複数の中継端子ブロックと、を備え、前記各中継端子ブロックは、前記本体ホルダに対して摺動することで、当該充電装置用アタッチメントが前記アタッチメント取付部に取り付けられるとき、摺動方向一端に露出する前記中継端子にて前記充電装置の各充電装置側端子にそれぞれ接触し、さらに、当該充電装置用アタッチメントが取り付けられた前記充電装置の前記携帯機器収容部に前記携帯機器が収容されるとき、摺動方向他端に露出する前記中継端子にて前記携帯機器の各携帯機器側端子にそれぞれ押圧されて接触することを特徴とする。
【０００８】
請求項２の発明は、請求項１に記載の充電装置用アタッチメントにおいて、前記各中継端子ブロックは、前記本体ホルダに対してそれぞれ独立して摺動可能に支持されることを特徴とする。
【０００９】
請求項３の発明は、請求項１または２に記載の充電装置用アタッチメントにおいて、前記各中継端子ブロックには、前記摺動方向に延在するブロック側係合部がそれぞれ形成され、前記本体ホルダには、前記摺動方向に延在して前記各ブロック側係合部に対して摺動可能に係合するホルダ側係合部がそれぞれ形成されることを特徴とする。
【００１０】
請求項４の発明は、請求項１〜３のいずれか一項に記載の充電装置用アタッチメントにおいて、前記中継端子ブロックは、前記携帯機器を前記携帯機器収容部に収容する収容方向に沿うように前記本体ホルダに対して摺動可能に支持されることを特徴とする。
【００１１】
請求項５の発明は、請求項１〜４のいずれか一項に記載の充電装置用アタッチメントにおいて、前記本体ホルダは、前記携帯機器収容部に収容された前記携帯機器に面接触する側面が鉛直方向に対して上向きに傾斜するように形成されることを特徴とする。
【００１２】
請求項６の充電装置は、請求項１〜５のいずれか一項に記載の充電装置用アタッチメントを備え、この充電装置用アタッチメントが前記アタッチメント取付部に収容されて構成される前記携帯機器収容部に収容される携帯機器に対して充電可能であることを特徴とする。
【発明の効果】
【００１３】
請求項１の発明では、充電装置用アタッチメントは、携帯機器収容部を構成する本体ホルダと、当該本体ホルダに対して摺動可能に支持される複数の中継端子ブロックとを備えている。そして、各中継端子ブロックは、本体ホルダに対して摺動することで、当該充電装置用アタッチメントがアタッチメント取付部に取り付けられるとき、摺動方向一端に露出する中継端子にて各充電装置側端子にそれぞれ接触し、さらに、充電装置の携帯機器収容部に携帯機器が収容されるとき、摺動方向他端に露出する中継端子にて各携帯機器側端子にそれぞれ押圧されて接触する。
【００１４】
これにより、充電装置用アタッチメントを、充電対象となる携帯機器に対して携帯機器収容部を構成するように形成し、かつ、充電装置のアタッチメント取付部に取り付け可能に形成することにより、単一の充電装置に充電対象の携帯機器に応じた充電装置用アタッチメントを取り付けることで当該携帯機器を充電可能な充電装置を構成することができる。
【００１５】
特に、各中継端子ブロックが本体ホルダに対して摺動可能に支持されているので、携帯機器収容部に収容された携帯機器の自重等により各中継端子ブロックが摺動することにより、中継端子が対応する充電装置側端子および携帯機器側端子に押圧されて各端子間が確実に接続される。また、中継端子の形状を充電装置側端子および携帯機器側端子の位置関係に応じて形成することにより、端子間ピッチ等が異なる携帯機器に対しても充電装置用アタッチメントを取り付けた充電装置で充電することができる。
したがって、単一の充電装置に組み付けられることでその形状に応じた携帯機器を充電可能な充電装置を構成することができる。
【００１６】
請求項２の発明では、各中継端子ブロックは、本体ホルダに対してそれぞれ独立して摺動可能に支持されるため、例えば携帯機器が携帯機器収容部に対して傾いた状態にて収容されることなどで、各携帯機器側端子が本体ホルダに対して位置ずれする場合でも、各中継端子ブロックが対応する携帯機器側端子に押圧されて本体ホルダに対してそれぞれ独立して摺動するので、各中継端子ブロックの中継端子と対応する携帯機器側端子とを確実に接続することができる。
【００１７】
請求項３の発明では、各中継端子ブロックには、摺動方向に延在するブロック側係合部がそれぞれ形成され、本体ホルダには、摺動方向に延在して各ブロック側係合部に対して摺動可能に係合するホルダ側係合部がそれぞれ形成される。これにより、各中継端子ブロックは、ブロック側係合部が対応するホルダ側係合部に係合した状態で本体ホルダに対して摺動するので、各中継端子と対応する充電装置側端子との接触位置がずれなくなり、各中継端子と対応する充電装置側端子とを確実に接続することができる。
【００１８】
請求項４の発明では、中継端子ブロックは、携帯機器を携帯機器収容部に収容する収容方向に沿うように本体ホルダに対して摺動可能に支持されるため、携帯機器の収容時に各中継端子ブロックが対応する携帯機器側端子に押圧されて本体ホルダに対して確実に摺動方向に摺動するので、各中継端子ブロックの中継端子を介した各携帯機器側端子と対応する充電装置側端子とを確実に接続することができる。
【００１９】
請求項５の発明では、本体ホルダは、携帯機器収容部に収容された携帯機器に面接触する側面が鉛直方向に対して上向きに傾斜するように形成されるため、携帯機器が本体ホルダの傾斜した側面に沿うように携帯機器収容部に収容されるので、当該側面に直交する方向における携帯機器の位置ずれが防止されて、各中継端子ブロックの中継端子と対応する携帯機器側端子とを確実に接続することができる。
【００２０】
請求項６の発明では、充電装置は、請求項１〜５のいずれか一項に記載の充電装置用アタッチメントを備えており、この充電装置用アタッチメントが当該充電装置のアタッチメント取付部に収容されて構成される携帯機器収容部に収容される携帯機器に対して充電する。これにより、単一の充電装置に組み付けられることでその形状に応じた携帯機器を充電可能な充電装置を構成することができる等の請求項１〜５の各発明による作用・効果を享受した充電装置を実現することができる。
【図面の簡単な説明】
【００２１】
【図１】本実施形態に係るアタッチメント３０を採用する充電装置２０の構成概要を示す断面図である。
【図２】携帯機器１０を収容した充電装置２０の断面図である。
【図３】図１の３−３線相当の切断面によるアタッチメント３０の断面図である。
【図４】中継端子ブロック４０ａ，４０ｂの詳細構成を示す説明図であり、図４（Ａ）は正面図、図４（Ｂ）は側面図、図４（Ｃ）は底面図である。
【図５】図５（Ａ）は、両中継端子ブロック４０ａ，４０ｂが受電端子１２，１３を介して押圧される前の状態を示す一部断面図であり、図５（Ｂ）は、両中継端子ブロック４０ａ，４０ｂが受電端子１２，１３を介して押圧された後の状態を示す一部断面図である。
【図６】図６（Ａ）は、携帯機器１０が傾いて収容される場合の両中継端子ブロック４０ａ，４０ｂの状態を示す一部断面図であり、図６（Ｂ）は、携帯機器１０の両受電端子１２，１３が位置ずれする場合の両中継端子ブロック４０ａ，４０ｂの状態を示す一部断面図である。
【発明を実施するための形態】
【００２２】
以下、本発明に係る充電装置用アタッチメントを採用する充電装置の実施形態について図を参照して説明する。
図１および図２に示すように、充電装置２０は、その収容部３２に収容される携帯機器１０を充電するように構成されている。
【００２３】
携帯機器１０は、筐体１１内に制御回路やメモリ等の各種電気部品と、各種電気部品の電源として機能する二次電池とが収容されるように構成されている。携帯機器１０は、制御回路等により、外部から取得した情報を制御して所定のデータを作成した後、そのデータ等をメモリに記憶するように構成されている。また、携帯機器１０の下端部には、二次電池への充電用の正側受電端子１２および負側受電端子１３が設けられている。なお、正側受電端子１２および負側受電端子１３は、特許請求の範囲に記載の「携帯機器側端子」の一例に相当する。
【００２４】
充電装置２０は、装置本体２１とこの装置本体２１のアタッチメント取付部２２に着脱可能に取り付けられる充電装置用のアタッチメント３０とを備えており、アタッチメント取付部２２の底部には、２つの挿通穴２２ａが形成されている。
【００２５】
装置本体２１は、携帯機器１０を充電するための端子である正側給電端子２３および負側給電端子２４を備えている。両給電端子２３，２４は、ばね部材の一端部を略逆Ｖ字状に形成するとともに他端部をコイルばね状に形成することで、一端部からの押圧に応じてその押圧方向に弾性変形するように構成されている（図１および図２参照）。そして、両給電端子２３，２４は、各一端部が対応する挿通穴２２ａを介してアタッチメント取付部２２内に突出するように他端部がそれぞれ例えば充電用の基板等に固定されている。なお、正側給電端子２３および負側給電端子２４は、特許請求の範囲に記載の「充電装置側端子」の一例に相当する。
【００２６】
アタッチメント３０は、本体ホルダ３１と２つの中継端子ブロック４０ａ，４０ｂとを備えている。本体ホルダ３１は、その外形が装置本体２１のアタッチメント取付部２２に対して着脱可能に取り付けられるように形成されている。また、本体ホルダ３１には、携帯機器１０を収容するための収容部３２が形成されている。
【００２７】
図２に示すように、収容部３２を構成する側面のうち両中継端子ブロック４０ａ，４０ｂの配列方向に沿う側面３２ａは、鉛直方向に対して上向きに傾斜するように形成されている。
【００２８】
また、図１および図３に示すように、収容部３２の底部には、携帯機器１０を収容部３２に収容する収容方向に沿う方向に２つの略角状の係合穴３３，３４が設けられており、両係合穴３３，３４は、アタッチメント３０を装置本体２１に取り付けるとき、両給電端子２３，２４の一端部が両係合穴３３，３４内に突出するように形成されている。また、各係合穴３３，３４には一対の断面凹状のガイドレール３５が対向して収容方向に延在するようにそれぞれ形成されている。
【００２９】
図４（Ａ）〜（Ｃ）に示すように、中継端子ブロック４０ａ，４０ｂは、ばね部材の一端部を略逆Ｖ字状に形成し他端部を略Ｌ字状に形成した中継端子４１が例えばＰＯＭ（ポリアセタール）等の摺動性のよい樹脂からなるケース４２にインサート成形されて構成されており、中継端子４１の一部がケース４２の上端および下端から露出している。そして、中継端子ブロック４０ａは、ケース４２の上端から露出する中継端子４１の部位（以下、上端部４１ａという）が携帯機器１０の正側受電端子１２に接触し、ケース４２の下端から露出する中継端子４１の部位（以下、下端部４１ｂという）が装置本体２１の正側給電端子２３に接触するように形成されている。また、中継端子ブロック４０ｂは、ケース４２の上端から露出する中継端子４１の上端部４１ａが携帯機器１０の負側受電端子１３に接触し、ケース４２の下端から露出する中継端子４１の下端部４１ｂが装置本体２１の負側給電端子２４に接触するように形成されている。
【００３０】
また、ケース４２の両側面には、長手方向に延在する断面凸状のガイドリブ４２ａがそれぞれ設けられており、両ガイドリブ４２ａは、中継端子ブロック４０ａを本体ホルダ３１の係合穴３３，３４に挿入するとき、両ガイドレール３５に係合した状態で長手方向すなわち摺動方向に摺動可能に形成されている。なお、ガイドリブ４２ａおよびガイドレール３５は、特許請求の範囲に記載の「ブロック側係合部」および「ホルダ側係合部」の一例に相当する。
【００３１】
上述のように構成されるアタッチメント３０は、本体ホルダ３１の係合穴３３および係合穴３４に中継端子ブロック４０ａおよび中継端子ブロック４０ｂをそれぞれ挿入して組み付けられる。このとき、各ガイドリブ４２ａが対応するガイドレール３５に係合することにより、中継端子ブロック４０ａおよび中継端子ブロック４０ｂは、本体ホルダ３１に対してそれぞれ独立して摺動方向（収容方向）に摺動可能に支持されることとなる。
【００３２】
次に、上述のように構成されるアタッチメント３０が取り付けられた充電装置２０による携帯機器１０の充電について図５および図６を用いて説明する。
まず、充電対象の携帯機器１０を収容可能なアタッチメント３０を用意し、このアタッチメント３０を装置本体２１のアタッチメント取付部２２に取り付ける。これにより、正側給電端子２３が本体ホルダ３１の係合穴３３に挿入されて、この正側給電端子２３により中継端子ブロック４０ａが中継端子４１の下端部４１ｂにて摺動方向上方に付勢される。また、負側給電端子２４が本体ホルダ３１の係合穴３４に挿入されて、この負側給電端子２４により中継端子ブロック４０ｂが中継端子４１の下端部４１ｂにて摺動方向上方に付勢される。これにより、図１に示す充電装置２０が完成する。
【００３３】
次に、図５（Ａ）に示すように、充電対象の携帯機器１０を充電装置２０の収容部３２に収容することで、携帯機器１０の正側受電端子１２および負側受電端子１３を中継端子ブロック４０ａおよび中継端子ブロック４０ｂにおける中継端子４１の上端部４１ａにそれぞれ接触させる。これにより、携帯機器１０の自重によって中継端子ブロック４０ａおよび中継端子ブロック４０ｂが正側受電端子１２および負側受電端子１３を介して摺動方向下方に押圧されるため、図５（Ｂ）に示すように、中継端子ブロック４０ａおよび中継端子ブロック４０ｂが本体ホルダ３１に対して摺動方向下方に摺動する。
【００３４】
このように中継端子ブロック４０ａが摺動方向下方に摺動することにより、中継端子４１が携帯機器１０の正側受電端子１２および充電装置２０の正側給電端子２３の双方から押圧されて、当該中継端子４１を介して正側受電端子１２および正側給電端子２３が確実に接続される。また、中継端子ブロック４０ｂが摺動方向下方に摺動することにより、中継端子４１が携帯機器１０の負側受電端子１３および充電装置２０の負側給電端子２４の双方から押圧されて、当該中継端子４１を介して負側受電端子１３および負側給電端子２４が確実に接続される。
【００３５】
このとき、携帯機器１０が本体ホルダ３１の傾斜した側面３２ａに沿うように収容部３２に収容されるので、当該側面３２ａに直交する方向における携帯機器１０の位置ずれが防止されて、各中継端子ブロック４０ａ，４０ｂの中継端子４１と対応する各受電端子１２，１３とが確実に接続されることとなる。
【００３６】
一方、図６（Ａ）に示すように、携帯機器１０が収容部３２に対して傾いた状態で収容されるために正側受電端子１２が負側受電端子１３よりも中継端子４１に近接する場合には、まず、正側受電端子１２が中継端子ブロック４０ａの中継端子４１に接触することにより、当該中継端子ブロック４０ａが摺動方向下方に押圧される。これにより、当該中継端子ブロック４０ａが本体ホルダ３１に対して摺動方向下方に摺動することで、正側受電端子１２および正側給電端子２３が中継端子４１を介して接続される。
【００３７】
その後、さらに携帯機器１０が下方に移動することで、負側受電端子１３が中継端子ブロック４０ｂの中継端子４１に接触することにより、当該中継端子ブロック４０ｂが摺動方向下方に押圧される。これにより、当該中継端子ブロック４０ｂが本体ホルダ３１に対して摺動方向下方に摺動することで、負側受電端子１３および負側給電端子２４が中継端子４１を介して接続される。
【００３８】
このように、携帯機器１０が収容部３２に対して傾いた状態で収容される場合でも、正側受電端子１２および正側給電端子２３が中継端子ブロック４０ａの中継端子４１を介して確実に接続されるとともに、負側受電端子１３および負側給電端子２４が中継端子ブロック４０ｂの中継端子４１を介して確実に接続される。
【００３９】
また、図６（Ｂ）に示すように、携帯機器１０の製造不良等により負側受電端子１３が正側受電端子１２よりも中継端子４１に近接するように位置ずれしている場合には、まず、負側受電端子１３が中継端子ブロック４０ｂの中継端子４１に接触することにより、当該中継端子ブロック４０ｂが摺動方向下方に押圧される。これにより、当該中継端子ブロック４０ｂが本体ホルダ３１に対して摺動方向下方に摺動することで、負側受電端子１３および負側給電端子２４が中継端子４１を介して接続される。
【００４０】
その後、さらに携帯機器１０が下方に移動することで、正側受電端子１２が中継端子ブロック４０ａの中継端子４１に接触することにより、当該中継端子ブロック４０ａが摺動方向下方に押圧される。これにより、当該中継端子ブロック４０ａが本体ホルダ３１に対して摺動方向下方に摺動することで、正側受電端子１２および正側給電端子２３が中継端子４１を介して接続される。
【００４１】
このように、携帯機器１０の製造不良等により正側受電端子１２および負側受電端子１３が収容方向にずれて配置される場合でも、正側受電端子１２および正側給電端子２３が中継端子ブロック４０ａの中継端子４１を介して確実に接続されるとともに、負側受電端子１３および負側給電端子２４が中継端子ブロック４０ｂの中継端子４１を介して確実に接続される。
【００４２】
以上説明したように、本実施形態に係るアタッチメント３０は、携帯機器１０を充電装置２０に収容するための収容部３２を構成する本体ホルダ３１と、当該本体ホルダ３１に対して摺動可能に支持されてこの摺動方向両端にて中継端子４１の一部がそれぞれ露出する２つの中継端子ブロック４０ａ，４０ｂとを備えている。そして、両中継端子ブロック４０ａ，４０ｂは、本体ホルダ３１に対して摺動することで、当該アタッチメント３０がアタッチメント取付部２２に取り付けられるとき、摺動方向一端に露出する中継端子４１の上端部４１ａにて充電装置２０の正側給電端子２３および負側給電端子２４にそれぞれ接触し、さらに、当該アタッチメント３０が取り付けられた充電装置２０の収容部３２に携帯機器１０が収容されるとき、摺動方向他端に露出する中継端子４１の下端部４１ｂにて携帯機器１０の正側受電端子１２および負側受電端子１３にそれぞれ押圧されて接触する。
【００４３】
これにより、アタッチメント３０を、充電対象となる携帯機器１０に対して収容部３２を構成するように形成し、かつ、充電装置２０のアタッチメント取付部２２に取り付け可能に形成することにより、単一の充電装置２０に充電対象の携帯機器１０に応じたアタッチメント３０を取り付けることで当該携帯機器１０を充電可能な充電装置２０を構成することができる。
【００４４】
特に、両中継端子ブロック４０ａ，４０ｂが本体ホルダ３１に対して摺動可能に支持されているので、収容部３２に収容された携帯機器１０の自重等により両中継端子ブロック４０ａ，４０ｂが摺動することにより、中継端子４１が対応する給電端子２３，２４および受電端子１２，１３に押圧されて各端子間が確実に接続される。また、中継端子４１の形状を給電端子２３，２４および受電端子１２，１３の位置関係に応じて形成することにより、端子間ピッチ等が異なる携帯機器１０に対してもアタッチメント３０を取り付けた充電装置２０で充電することができる。
したがって、アタッチメント３０が単一の充電装置２０に組み付けられることでその形状に応じた携帯機器１０を充電可能な充電装置２０を構成することができる。
【００４５】
また、本実施形態に係るアタッチメント３０では、両中継端子ブロック４０ａ，４０ｂは、本体ホルダ３１に対してそれぞれ独立して摺動可能に支持されるため、携帯機器１０が収容部３２に対して傾いた状態にて収容されることなどで、各受電端子１２，１３が本体ホルダ３１に対して位置ずれする場合でも、両中継端子ブロック４０ａ，４０ｂが対応する受電端子１２，１３に押圧されて本体ホルダ３１に対してそれぞれ独立して摺動するので、両中継端子ブロック４０ａ，４０ｂの中継端子４１と対応する受電端子１２，１３とを確実に接続することができる。
【００４６】
さらに、本実施形態に係るアタッチメント３０では、両中継端子ブロック４０ａ，４０ｂには、摺動方向に延在するガイドリブ４２ａがそれぞれ形成され、本体ホルダ３１には、摺動方向に延在して各ガイドリブ４２ａに対して摺動可能に係合するガイドレール３５がそれぞれ形成される。これにより、両中継端子ブロック４０ａ，４０ｂは、各ガイドリブ４２ａが対応するガイドレール３５に係合した状態で本体ホルダ３１に対して摺動するので、各中継端子４１と対応する給電端子２３，２４との接触位置がずれなくなり、各中継端子４１と対応する給電端子２３，２４とを確実に接続することができる。
【００４７】
また、本実施形態に係るアタッチメント３０では、両中継端子ブロック４０ａ，４０ｂは、携帯機器１０を収容部３２に収容する収容方向（摺動方向）に沿うように本体ホルダ３１に対して摺動可能に支持されるため、携帯機器１０の収容時に両中継端子ブロック４０ａ，４０ｂが対応する受電端子１２，１３に押圧されて本体ホルダ３１に対して確実に摺動方向に摺動するので、両中継端子ブロック４０ａ，４０ｂの中継端子４１を介した各受電端子１２，１３と対応する給電端子２３，２４とを確実に接続することができる。
【００４８】
さらに、本実施形態に係るアタッチメント３０では、本体ホルダ３１は、収容部３２に収容された携帯機器１０に面接触する側面３２ａが鉛直方向に対して上向きに傾斜するように形成されるため、携帯機器１０が本体ホルダ３１の傾斜した側面３２ａに沿うように収容部３２に収容されるので、当該側面３２ａに直交する方向における携帯機器１０の位置ずれが防止されて、各中継端子ブロック４０ａ，４０ｂの中継端子４１と対応する各受電端子１２，１３とを確実に接続することができる。
【００４９】
また、本実施形態に係る充電装置２０は、上述した充電装置用のアタッチメント３０を備えており、このアタッチメント３０が当該充電装置２０のアタッチメント取付部２２に収容されて構成される収容部３２に収容される携帯機器１０に対して充電する。これにより、単一の充電装置２０に組み付けられることでその形状に応じた携帯機器１０を充電可能な充電装置２０を構成することができる等の作用・効果を享受した充電装置２０を実現することができる。
【００５０】
なお、本発明は上記実施形態に限定されるものではなく、以下のように具体化してもよく、その場合でも、上記実施形態と同等の作用・効果が得られる。
（１）中継端子ブロック（４０ａ，４０ｂ）は、２つを本体ホルダ３１に摺動可能に設けることに限らず、受電端子および給電端子の個数と同等の個数を本体ホルダ３１に摺動可能に設けてもよい。
【００５１】
（２）両中継端子ブロック４０ａ，４０ｂは、ガイドリブ４２ａをガイドレール３５に係合させることで本体ホルダ３１に対して摺動可能に支持されることに限らず、本体ホルダ３１に延在して設けられる断面凸状等のホルダ側係合部に係合可能な断面凹状等のブロック側係合部を延在して設けることで、当該本体ホルダ３１に対して摺動可能に支持されてもよい。また、両中継端子ブロック４０ａ，４０ｂは、ガイドリブ４２ａ等を設けることなくその側面にて両係合穴３３，３４の内面に摺動可能に支持されてもよい。
【００５２】
（３）本実施形態では、充電装置２０に対し１つの充電装置用のアタッチメント３０を取り付けることで携帯機器１０を充電するための充電装置を構成しているが、様々な仕様（形状）の携帯機器のいずれかを充電する場合には、それぞれ充電対象の携帯機器に応じた充電装置用のアタッチメントを用意し、各アタッチメントのいずれか１つを上述した充電装置２０に取り付けることで充電対象の携帯機器を充電してもよい。すなわち、各アタッチメントのいずれか１つが単一の充電装置２０に組み付けられることでその形状に応じた携帯機器を充電可能な充電装置２０を構成することができる。
【符号の説明】
【００５３】
１０…携帯機器
１２…正側受電端子（携帯機器側端子）
１３…負側受電端子（携帯機器側端子）
２０…充電装置
２１…装置本体
２２…アタッチメント取付部
２３…正側給電端子（充電装置側端子）
２４…負側給電端子（充電装置側端子）
３０…アタッチメント（充電装置用アタッチメント）
３１…本体ホルダ
３２…収容部
３２ａ…側面
３３，３４…係合穴
３５…ガイドレール（ホルダ側係合部）
４０ａ，４０ｂ…中継端子ブロック
４１…中継端子
４２…ケース
４２ａ…ガイドリブ（ブロック側係合部）
【図１】
2010226823.tif 000003
【図２】
2010226823.tif 000004
【図３】
2010226823.tif 000005
【図４】
2010226823.tif 000006
【図５】
2010226823.tif 000007
【図６】
2010226823.tif 000008